(57)【要約】【課題】  混合水栓から原水だけでなく、浄水器を通過した浄水も供給できるようにした混合水栓と浄水器との接続構造において、キャビネット内部で浄水器を最適な位置に装着する。【解決手段】  カウンター３１下部でキャビネット３３の内部には、原水を給水元栓１０から混合水栓１に収容された混合弁５へ供給する水管１１と、湯を給湯元栓１２から混合弁５へ供給する湯管１３と、混合弁５とシャワーヘッド８とを接続するホース７とが配置されており、前記給水元栓１０とホースと７の間にバイパス流路１６が装着され、バイパス流路１６は原水を濾過する浄水器１８と、浄水器１８を通過した浄水の流路を開閉する開閉ハンドル２４とを備え、浄水器１８はシンク３４と併設してカウンター３１の下部に装着された。【選択図】図１
2008019665.tif 000002
【特許請求の範囲】
【請求項１】
流し台に設けられたカウンターに混合水栓とシンクとが装着され、混合水栓はホルダーの先端にシャワーヘッドがホースと共に引き出し自在に支持されており、カウンター下部でキャビネットの内部には、原水を給水元栓から混合水栓に収容された混合弁へ供給する水管と、湯を給湯元栓から混合弁へ供給する湯管と、混合弁とシャワーヘッドとを接続する前記ホースとが配置されており、前記給水元栓とホースとの間にバイパス流路が装着され、バイパス流路は原水を濾過する浄水器と、浄水器を通過した浄水の流路を開閉する開閉ハンドルとを備え、前記浄水器はシンクと併設してカウンターの下部に装着されたことを特徴とする混合水栓と浄水器の接続構造。
【請求項２】
前記浄水器は、カウンターに穿設された開口部から上部方向へ着脱自在に装着されたことを特徴とする請求項１記載の混合水栓と浄水器の接続構造。
【発明の詳細な説明】
【技術分野】
【０００１】
この発明は、例えば流し台のカウンターに装着される混合水栓において、給水元栓と水栓本体との間の給水経路に浄水器を備えたバイパス流路を装着し、混合水栓から原水だけでなく、浄水器を通過した浄水を供給できるようにした、混合水栓と浄水器の接続構造に関するものである。
【背景技術】
【０００２】
流し台のカウンターに装着された混合水栓から原水だけでなく、浄水器を通過した浄水も供給できるようした浄水器水栓が普及している。そこで、流し台で混合水栓から浄水を供給できるようにする場合、通常の住宅には既に流し台に混合水栓が装着されているため、新たに浄水器水栓を装着しようとすると、既に装着されている混合水栓を取り外し、新たに浄水器水栓を購入して装着する必要があり、使用者は金銭的及び時間的に大きな負担となる。そこで、既に装着されている混合水栓をそのまま流用することができ、浄水器を後付けにより簡単に装着することができるようにした混合水栓と浄水器の接続構造として、特許文献１がある。  
【０００３】
この特許文献１による混合水栓と浄水器の接続構造について簡単に説明すると、流し台の天板部に固設された水栓のボディから吐水口部が引き出し可能となっているシャワー引出機能付混合水栓に対し、水道水の給水元栓から混合水栓の吐水口部にまで延びる水通路の途中で、且つ、該水通路を開閉する水栓用バルブをボディ内に収納した混合水栓よりも下方位置に、該水通路の水栓用バルブよりも上流側から分岐して下流側に合流するバイパス通路を形成すると共に、該バイパス通路の途中に、水道水を濾過するための浄水器と、該バイパス通路を開閉するための浄水用バルブをそれぞれ配置し、浄水用バルブは天板部に装着された操作部と連繋し、操作部を操作することで、混合水栓から浄水を取り出せるようにしたものである。
【０００４】
【特許文献１】特開平１０−３０９５６５号公報
【発明の開示】
【発明が解決しようとする課題】
【０００５】
前記特許文献１の混合水栓と浄水器の接続構造においては、混合水栓がシャワー引き出し機能付であり、バイパス通路の混合水栓への装着は、分岐部分を給水元栓と給水管との間、連結部材を通水管とホースとの間にそれぞれ接続すればよく、シャワー引き出し機能を備えていない水栓と比較して、各接続部を利用して分岐部分、連結部材を接続することができるため施工が容易である。また、原水を浄水とするための浄水器は、キャビネット内部の床面に配置されているアンダーシンク型である。しかし、キャビネット内部の床面には通常、湯水が吐水されるシンクの下側に、流し台で使用する多数の備品が配置されているため、新たに浄水器をキャビネットの床面に配置しようとすると、充分なスペースを確保することができない場合があった。
【０００６】
しかも、混合水栓の修理が必要となったり、新たな混合水栓に取り換える必要が生じた場合に、この混合水栓をカウンターから取り外す必要があるが、キャビネット内部で混合水栓の配管及びホースの近辺に浄水器が配置されているため、混合水栓を交換する作業で浄水器が障害物となり、短時間で効率よく交換作業を行なうことができなかった。
【０００７】
さらに、浄水器は内部に収容されている浄水カートリッジが、使用する流量に応じて劣化するため、予め定められた使用流量に達すると交換を行なう必要があり、交換時期となると、古い浄水カートリッジを浄水器から取り外し、新たな浄水カートリッジを浄水器へ装着する必要があるが、浄水器がキャビネット内部の床面に配置されていると、わざわざキャビネットの扉を開いて、キャビネット内部の狭い空間でカートリッジの交換を行なうこととなり、作業性の悪いものであった。
【０００８】
この発明は、このような従来の技術に存在する問題点に着目してなされたものであり、その課題は、流し台のカウンターに装着された混合水栓の流路途中でキャビネットの内部に浄水器を装着することで、混合水栓から原水だけでなく、浄水器を通過した浄水も供給できるようにした混合水栓と浄水器との接続構造において、キャビネット内部で浄水器を最適な位置に装着することである。
【課題を解決するための手段】
【０００９】
上記課題を達成するため、請求項１記載の発明では、流し台に設けられたカウンターに混合水栓とシンクとが装着され、混合水栓はホルダーの先端にシャワーヘッドがホースと共に引き出し自在に支持されており、カウンター下部でキャビネットの内部には、原水を給水元栓から混合水栓に収容された混合弁へ供給する水管と、湯を給湯元栓から混合弁へ供給する湯管と、混合弁とシャワーヘッドとを接続する前記ホースとが配置されており、前記給水元栓とホースとの間にバイパス流路が装着され、バイパス流路は原水を濾過する浄水器と、浄水器を通過した浄水の流路を開閉する開閉ハンドルとを備え、前記浄水器はシンクと併設してカウンターの下部に装着されたことを特徴とする。
【００１０】
請求項２に記載の発明では請求項１記載の発明において、前記浄水器は、カウンターに穿設された開口部から上部方向へ着脱自在に装着されたことを特徴とする。
【発明の効果】
【００１１】
請求項１に記載の発明によれば、混合水栓の修理や交換のため、混合水栓をキャビネットの内部の狭い空間でカウンターから取り外したり装着する場合に、浄水器はシンクと併設してカウンター下部のデットスペースに装着されているため、浄水器が邪魔になることがなく、作業性が向上する。
【００１２】
請求項２に記載の発明によれば、請求項１に記載の効果に加えて、浄水器の浄水カートリッジの交換作業はカウンターの上部で行なうことができ、作業性が向上する。
【発明を実施するための最良の形態】
【００１３】
以下、本発明を具体化した実施例を、図１を用いて詳細に説明する。
【実施例１】
【００１４】
この発明の実施例１は図１に示すように、混合水栓１の胴体部２は縦長の略円筒形状で、下部に突出して形成された接続筒３を胴体部２より小径にして、流し台３０に設けられたカウンター３１に穿設されている取付孔３２に挿通し、このカウンター３１の下部からナット４を接続筒３に螺着することで、混合水栓１はカウンター３１に起立した状態で装着されている。
【００１５】
混合水栓１は胴体部２の内部に混合弁５が収容されており、この混合弁５と連繋したレバー６を上下又は左右に操作することで、湯水の吐水流量及び温度が調節される。
【００１６】
前記接続筒３と混合弁５との間の外周にはホルダー９が上傾して回転可能に装着されており、このホルダー９は、蛇腹状であるホース７の先端に結合されたシャワーヘッド８を引き出し自在に支持するものである。前記ホース７はカウンター３１の下部、即ちキャビネット３３の内部で略Ｕ字状に垂れ下がっており、シャワーヘッド８はホルダー９に支持された状態、又はホルダー９からホース７と共に引き出して使用することができ、前記レバー６を吐水方向へ操作すれば、カウンター３１に設けられたシンク３４に向けてシャワーヘッド８から湯水を供給可能となっている。
【００１７】
前記接続筒３の下部には、混合弁５に対し給水元栓１０から水を供給する水管１１と、混合弁５に対し給湯元栓１２から湯を供給する湯管１３と、混合弁５により流量及び温度が調節された湯水をシャワーヘッド８へ供給する供給管１４とが配置されている。
【００１８】
前記ホース７は胴体部２及び接続筒３内からカウンター３１下部で、キャビネット３４の内部に垂れ下がった状態で収納され、基端には第１分岐管１５が装着され、ホース７は第１分岐管１５により前記供給管１４に結合できるものである。
【００１９】
前記給水元栓１０と混合弁５の二次側であるホース７との間には、バイパス流路１６が装着される。バイパス流路１６は給水元栓１０に装着される第２分岐管１７と、カウンター３１に対しその下部に装着される浄水器１８と、第２分岐管１７と浄水器１８とを接続する第１連結管１９と、浄水器１８と第１分岐管１５とを接続する第２連結管２０とを備えている。
【００２０】
前記浄水器１８は、カウンター３１の下部でシンク３４の隣に固定金具３５により装着される。浄水器１８が装着される位置は、通常は物品が収容されたり、装着されることのないデッドスペースであるため、このデッドスペースを有効に利用して浄水器１８を装着するものである。浄水器１８は略円筒状で、浄水カートリッジ２２を収容するためのケース２１が形成され、ケース２１の内部に浄水カートリッジ２２が着脱自在に装着されている。浄水カートリッジ２２は内部に活性炭、中空糸膜、多孔質セラミックス、イオン交換樹脂、その他公知の濾過材が充填されており、第２分岐管１７から第１連結管１９を介して供給される原水に含まれているカルキ、赤錆等の不純物を濾過して除去することで、原水を浄水とすることができる。ケース２２はカウンター３１の上部で蓋２３が装着されており、蓋２３を外せば浄水カートリッジ２２をカウンター３１の上側から上部方向へ取り出し、交換、点検等を行なうことができる。
【００２１】
浄水器１８にはカウンター３１に穿設された開口部３１ａから上部に露出するように、開閉ハンドル２４が装着されており、この開閉ハンドル２４を閉弁位置から開弁位置へ操作することで、第２分岐管１７から第１連結管１９を介して浄水器１８へ供給された原水は、浄水カートリッジ２２を通過することで濾過され浄水となり、この浄水は第２連結管２０及び第１分岐管１５を介してホース７、シャワーヘッド８へ供給され、シンク３４に向けて吐水される。
【００２２】
この実施例１の混合水栓１においては、バイパス流路１６はその一次側が給水元栓１０と水管１１との間、二次側が供給管１４とホース７との間に装着されている。即ち、バイパス流路１６はその両端が混合弁５に対し一次側と二次側とに装着されている。従って、混合水栓１のレバー６が止水位置で、シャワーヘッド８から湯水が供給されない状態であっても、バイパス流路１６により原水を浄水器１８に供給し、浄水器１８を通過した浄水をホース７及びシャワーヘッド８へ供給することができる。即ち、浄水器１８に装着された開閉ハンドル２４をカウンター３１の上部から開弁方向へ操作すれば、第２分岐管１７から分岐した原水は浄水器１８に供給され、浄水カートリッジ２３により濾過された浄水はホース７及びシャワーヘッド８へ供給され、浄水をシャワーヘッド８から外部へ供給することができる。
【００２３】
また、浄水器１８の浄水カートリッジ２２が交換時期となった場合は、カウンター３１の上部から蓋２３を外し、浄水カートリッジ２２を上部方向へ取り出すことで、新しいカートリッジに交換を行なうことができる。
【００２４】
そして、カウンター３１に装着されている混合水栓１に故障が発生したり、他の混合水栓へ取り換えるため、混合水栓１をカウンター３１から取り外すには、キャビネット３３の内部に潜り、接続筒３に螺着されているナット４を緩め、給水元管１０と水管１１との接続状態、及び給湯元栓１２と湯管１３との接続状態を解除する必要があるが、これらの作業を行なう場合、浄水器１８はカウンター３１の下部のデッドスペースに装着されており、キャビネット３３の内部で混合水栓１の各配管とは離れた位置に装着されているので、浄水器１８が邪魔になることがなく、作業を円滑に行なうことができる。
【００２５】
また、浄水器はカウンターの下部でシンクの横である通常使用されないデッドスペースに装着されるため、キャビネットの内部で浄水器が広いスペースを占めることがなく、キャビネットの内部を有効に利用することができる。
【００２６】
次に、この発明を具体化した実施例２について図２を用いて説明する。
【実施例２】
【００２７】
この実施例２は、前記実施例１におけるバイパス流路の混合水栓に対する装着位置が異なるのみであるため、その相違点のみについて説明する。
図２に示すように、この実施例２ではバイパス流路１６ａがホース７のみに装着されている。即ち、バイパス流路１６ａはその両端の第３分岐管１５ａ，第４分岐管１７ａがホース７に対し一次側と二次側とに装着されている。従って、この実施例２では実施例１と異なり、給水元栓１０から供給される高水圧の水が直接浄水器１８へ供給されることがなく、原水は混合水栓１の内部流路を通過して減圧された後に、浄水器１８へ供給され、浄水器１８への負担を抑えることができる。なお、この実施例２では浄水器１８を通過した浄水を供給するには、混合水栓１のレバー６を吐水位置へ操作しておく必要がある。
【図面の簡単な説明】
【００２８】
【図１】本発明の実施例１による混合水栓と浄水器との接続構造である。
【図２】本発明の実施例２による混合水栓と浄水器との接続構造である。
【符号の説明】
【００２９】
１            ：  混合水栓
５            ：  混合弁
７            ：  ホース
８            ：  シャワーヘッド
９            ：  ホルダー
１０          ：  給水元栓
１１          ：  水管
１２          ：  給湯元栓
１３          ：  湯管
１６，１６ａ  ：  バイパス流路
１８          ：  浄水器
２４          ：  開閉ハンドル
３０          ：  流し台
３１          ：  カウンター
３１ａ        ：  開口部
３３          ：  キャビネット
３４          ：  シンク
【図１】
2008019665.tif 000003
【図２】
2008019665.tif 000004